(57)【要約】【課題】既存の給排水器具を介して追加のシャワー装置を作動させることができる手段を提供する。【解決手段】  壁に取り付けられ（３７）、屋内設備または追加のハンドシャワーには固定形式で接続されないシャワー装置（１０）が開示されている。給排水器具（１）からハンドシャワー（５，４５）まで伸びるホース（４）は、前記シャワー装置（１０）またはハンドシャワーに給水するために使用される。前記ハンドシャワーは、前記ホースから放出された水用の流出口（２４）を有する。前記流出口は前記シャワー装置への流入口（２０）と結合されて、水が前記ハンドシャワーを介して前記シャワー装置に達するようになる。本発明のシャワー装置は、壁取付ロッド（１１）とすることができる。好ましくは、水の方向転換を行う接続部が機械的結合装置によって確立される。【選択図】図７
2008531147.tif 000002
【特許請求の範囲】
【請求項１】
シャワー装置であって、
給排水器具（１）と、
前記給排水器具（１）の内部に配置された給排水弁と、
前記給排水弁によって作動することのできるシャワーホース接続部（３）と、
シャワーホース（４）を介して接続され、少なくとも１つの噴射流出口要素を備え、さらに他のシャワー装置または付属のシャワー装置の流入口接続部と結合するために選択的に開かれる流出口接続部（２４）を備える手持ちシャワーヘッド（５，４５）とを有する、シャワー装置。
【請求項２】
前記手持ちシャワーヘッド（５，４５）が前記シャワー装置と接続される機械的結合装置を特徴として備える、請求項１に記載のシャワー装置。
【請求項３】
前記結合装置が、手持ちシャワーヘッド（５，４５）とシャワー装置との間を機械的に接続する場合、前記手持ちシャワーヘッド（５，４５）の流出口接続部が前記シャワー装置の流入口接続部とも接続されるように形成される、請求項２に記載のシャワー装置。
【請求項４】
前記流出口接続部（２４）が弁によって開かれる、先行する請求項の１項に記載のシャワー装置。
【請求項５】
前記弁が手動式作動要素によって操作することができる、請求項４に記載のシャワー装置。
【請求項６】
前記弁が前記手持ちシャワーヘッド（５，４５）内に配置される、請求項４または請求項５に記載のシャワー装置。
【請求項７】
前記弁が前記給排水器具（１）内に配置される、請求項４または請求項５に記載のシャワー装置。
【請求項８】
前記弁が、前記手持ちシャワーヘッド（５，４５）と前記シャワー装置の流入口接続部との間の機械的接続を確立することによって作動することができる、請求項４から請求項７のいずれか１項に記載のシャワー装置。
【請求項９】
前記手持ちシャワーヘッド（５，４５）の前記流出口接続部（２４）が、一部分が差し込み結合され、他の部分が前記シャワー装置の内部に配置されることを特徴とする、先行する請求項のいずれか１項に記載のシャワー装置。
【請求項１０】
前記弁が、前記手持ちシャワーヘッド（５，４５）の前記流出口接続部が開いている際、前記手持ちシャワーヘッド（５，４５）の噴射流出口要素への水の供給が少なくとも部分的に止められるように形成される、請求項４から請求項９のいずれか１項に記載のシャワー装置。
【請求項１１】
前記弁が、前記手持ちシャワーヘッド（５，４５）の前記流出口接続部が開いている際、前記手持ちシャワーヘッド（５，４５）の噴射流出口要素への水の供給が維持されるように形成される、請求項４から請求項９のいずれか１項に記載のシャワー装置。
【請求項１２】
前記手持ちシャワーヘッド（５，４５）からの前記流出口接続部および／または前記結合装置が、前記手持ちシャワーヘッド（５，４５）と前記シャワー装置との間の機械的接続が確立されると、前記手持ちシャワーヘッド（５，４５）の前記噴射流出口要素がユーザに向かう方向を指すように前記手持ちシャワーヘッド（５，４５）上に配置される、先行する請求項のいずれか１項に記載のシャワー装置。
【請求項１３】
前記結合装置が配水差し込みニップル（２７）を特徴として備える、請求項２から請求項１２のいずれか１項に記載のシャワー装置。
【請求項１４】
前記差し込みニップル（２７）が覆われており、前記機械的接続が確立されたときだけ露出される、請求項１３に記載のシャワー装置。
【請求項１５】
被覆要素（２６）が前記手持ちシャワーヘッド（５，４５）用の機能要素として形成される、請求項１４に記載のシャワー装置。
【請求項１６】
前記手持ちシャワーヘッド（５，４５）の前記流出口接続部（２４）と接続され、それと機械的に結合されるシャワー装置を備える、先行する請求項のいずれか１項に記載のシャワー装置。
【請求項１７】
前記シャワー装置が屋内設備と独立して接続されていないことを特徴とする、請求項１６に記載のシャワー装置。
【請求項１８】
前記シャワー装置自身が壁または同様の表面上に機械的に固定される、請求項１６または請求項１７に記載のシャワー装置。
【請求項１９】
前記シャワー装置が壁取付レール（１１，３０）として形成される、請求項１６から請求項１８のいずれか１項に記載のシャワー装置。
【請求項２０】
前記壁取付レール（１１）が、それと機能的には接続されていない前記手持ちシャワーヘッド（５，４５）用の好ましくは摺動ホルダー（１６）を特徴として備える、請求項１９に記載のシャワー装置。
【請求項２１】
前記壁取付レール（１１，３０）が中空設計をしており、その内側が水線の役目を果たす、請求項１９または請求項２０に記載のシャワー装置。
【請求項２２】
前記流入口接続部が前記壁取付レール（１１，３０）内および／または前記壁取付レール（１１，３０）の下端部の領域内の前記壁取付レール（１１，３０）に対応する結合装置部分上に配置される、請求項１９から請求項２１のいずれか１項に記載のシャワー装置。
【請求項２３】
前記シャワー装置が少なくともオーバーヘッドシャワー（１３）を特徴として備える、請求項１６から請求項２２のいずれか１項に記載のシャワー装置。
【請求項２４】
前記シャワー装置が少なくともサイドシャワーを特徴として備える、請求項１６から請求項２３のいずれか１項に記載のシャワー装置。
【請求項２５】
前記ヘッドシャワー（１３）および／または前記サイドシャワーが前記給排水器具（１）の内部の前記給排水弁によって作動することができる、請求項２３または請求項２４に記載のシャワー装置。
【請求項２６】
前記壁取付レール（１１，３０）の下端部の領域に、前記接続装置および／または結合装置部分を特徴として備える制御装置（１２）が設けられる、請求項１６から請求項２５のいずれか１項に記載のシャワー装置。
【請求項２７】
前記他のシャワー装置が前記手持ちシャワーヘッド用の付属品である、請求項１６または請求項１７に記載のシャワー装置。
【請求項２８】
少なくとも１つの噴射流出口要素と、流出口接続部（２４）と接続する流入口接続部と、手持ちシャワーヘッド（５，４５）と、さらに前記流入口接続部から前記少なくとも１つの噴射流出口要素までの水線とを備える、壁または同様の表面上に固定されるシャワー装置。
【請求項２９】
手持ちシャワーヘッド（５，４５）の結合装置を取り付けるための機械的結合装置を備える、請求項２８に記載のシャワー装置。
【請求項３０】
シャワーホース（４）用の接続部と、少なくとも１つの噴射流出口要素と、他の追加のシャワー装置の流入口接続部と接続するために選択的に開かれる流出口接続部（２４）とを備える、手持ちシャワーヘッド。
【発明の詳細な説明】
【技術分野】
【０００１】
本発明は、特にシャワーホース接続部を作動させるために給排水弁を設けて使用する、給排水器具を備えたシャワー装置に関する。
【背景技術】
【０００２】
浴室の改修の際、表面下ではフルラインの取付範囲が限られているにもかかわらず、シャワー用の追加の装置が欲しくなるという問題が生じ得る。このため、改良設備としてサイドシャワーを設計することが既に一般的であり（ＤＥ２９６０４３１２）、給排水器具によって保持され、水がホースを通って導かれるシャワーレールがサイドシャワー用に設けられる。そして、壁取付レールへの接続部は、通常の手持ちシャワーヘッドをさらなる手段を介して接続することができるように、さらなる切替弁で構成される。このように、サイドシャワーに対する水の質と温度は既存の備品を介して調整することができるのに対し、切替弁はサイドシャワーと手持ちシャワーヘッドを切り替えるために他の場所に置かれる。
【特許文献１】ＤＥ２９６０４３１２
【発明の開示】
【発明が解決しようとする課題】
【０００３】
本発明の目的は、既存の給排水器具を介して追加のシャワー装置を作動させることができる手段を提供することである。
【課題を解決するための手段】
【０００４】
この目的を達成するために、本発明は請求項１に記載の特徴を備えたシャワー装置を提案する。本発明のさらなる発展形態は、従属クレームの目的である。本発明は同様に、請求項３０に記載の特徴を備えた手持ちシャワーヘッドを提案する。
【発明の実施の形態】
【０００５】
給排水器具に属する手持ちシャワーヘッドはまた、さらなるシャワー装置の流入口接続部に接続することのできる通常の噴射流出口要素への追加の流出口接続部を特徴として備える。
【０００６】
この流出口接続部がさらなるシャワー装置の流入口接続部と接続される場合、このさらなるシャワー装置は給排水器具によって作動させることができる。したがって、例えば他のシャワー装置へ流れる水の量および／または温度を変化または設定するために、さらなる手動操作式の給排水弁を必要としない。手持ちシャワーヘッドの流出口接続部を開閉するための追加の弁が必要なだけである。
【０００７】
他のシャワー装置は、手持ちシャワーヘッド以外の追加の装置、例えば、異なる噴射形式や、異なる形状・外観や、異なる操作形式の手持ちシャワーヘッドの補助器具とすることができる。この追加のシャワーヘッドは手持ちシャワーヘッドと一緒に操作することができ、つまり、追加の手持ちシャワーヘッドと手持ちシャワーヘッドを操作するために使用することのできる独自のハンドルも特徴として備える。
【０００８】
本発明のさらなる発展形態では、機械的結合装置を特徴として備える手持ちシャワーヘッドを提供することができ、前記手持ちシャワーヘッドを他のシャワー装置に機械的に結合する。
【０００９】
特に、前記手持ちシャワーヘッドと前記他のシャワー装置との間の機械的接続において、前記手持ちシャワーヘッドの流出口接続部が同時に前記他のシャワー装置の流入口接続部と水圧接続されるように形成される結合装置を提供することができる。これにより、単純な機械的接続工程によって同時に２つの部品の間で液体接続を確立することが可能である。
【００１０】
既に述べたように、流出口接続部を開くために弁を設けることができる。この弁は、例えば作動要素によって手動で作動するための操作を可能にする。その結果、ユーザは液体接続を意図的に確立することができる。
【００１１】
弁は、例えば手持ちシャワーヘッド自身の内部に配置することができる。手持ちシャワーヘッドをさまざまな噴射形式で切り替えるための一般的な弁として形成し取り付けることができるため、手持ちシャワーヘッド内に配置された弁は先の解決策としてさらに利用できるようになる。
【００１２】
また、手持ちシャワーヘッドの流出口接続部を開くための弁を給排水器具自身の内部に配置することも本発明の範囲内のことであり、考慮すべきである。この場合、例えば２つの水線を有するホースを使用することができる。
【００１３】
また、弁は手持ちシャワーヘッドの内部に収容されるが、その作動要素は給排水器具の内部に取り付けることも可能である。
【００１４】
本発明によって提案されるさらなる手段は、流出口接続部を開閉する弁を、シャワー装置の流入口接続部との機械的接続を確立または切断することによって作動可能とすることである。ユーザは、さらなるシャワー装置を作動させるために、追加の行動を行う必要がない。
【００１５】
例えば、同時に液体接続を確立する機械的接続は差し込み結合として実行することができるため、手持ちシャワーヘッド内の流出口接続部はこの差し込み結合の一部分を形成し、その他の部分が他のシャワー装置内に取り付けられるようになる。差し込み結合は実質的に既知であり、身近な方法が使用されるため、必要ならば、ここで問題の特別な適用例に適応させることができる。
【００１６】
例えばさらなる発展形態において、手持ちシャワーヘッドの流出口接続部を開閉する弁は、流出口接続部が開いている際、噴射流出口要素への水の供給が少なくとも部分的に止められるように形成することができる。加えて、完全遮断手段を設けることもできる。このことは、手持ちシャワーヘッドと他のシャワー装置との間の接続を確立した後は、他のシャワー装置だけに、もしくはまず他のシャワー装置に水が供給されることを意味する。
【００１７】
しかしながら、流出口接続部が開いている際、手持ちシャワーヘッドの噴射流出口要素への水の供給が持続したままであるように弁を形成することは、本発明の範囲内のことであり、考慮すべきである。手持ちシャワーヘッドと他のシャワー装置との間の機械的接続において、他のシャワー装置の取り付け方と構成次第で、手持ちシャワーヘッドをさらにオーバーヘッドシャワーやサイドシャワーとして使用することができる。
【００１８】
本発明によれば、さらなる発展形態において、流出口接続部および／または結合装置を提供することができ、それらは他のシャワー装置に接続された際、噴射流出口要素がユーザに向かう方向を指すように手持ちシャワーヘッド上に配置される。その結果、シャワーを浴びるために噴射流出口要素をさらに使用しなくてはならない場合、このことは合理的となる。
【００１９】
さらなる発展形態では、結合装置が配水差し込みニップルを特徴として備えることが可能である。前記結合装置は、例えば手持ちシャワーヘッドが結合されていない場合、機械的接続を確立する際に初めて露出されるように覆うことができる。スリーブまたは同様の要素はこの目的を果たすことができ、追加の機能、例えば、手持ちシャワーヘッドを使用していない時に手持ちシャワーヘッドを保持するための要素としての機能を特徴として備えることもできる。
【００２０】
さらなる発展形態において、本発明は前述のシャワー装置を、手持ちシャワーヘッドの流出口接続部と接続かつ機械的に結合されるシャワー装置と接続することを提案する。
【００２１】
これは、特に屋内設備と独自の液体接続をもたないシャワー装置を特徴とすることができる。しかしながら、好ましくは、壁もしくは浴室やシャワー室などの建具の他のあらゆる部分に単独で機械的に固定されるシャワー装置を含む。
【００２２】
ホースを用いた壁取付レールの作動が既知であることは冒頭で述べた。本発明で提案される、手持ちシャワーヘッドと接続された追加のシャワー装置は、あらゆるシャワー装置、例えばサイドシャワーを保持する役目を果たすことのできる壁取付レールにすることもできる。
【００２３】
例えば、本発明のさらなる発展形態において、壁取付レールは追加的に、手持ちシャワーヘッド用の好ましくは変形可能なホルダーを特徴として備えることができるため、前記壁取付レールを操作しなくてもシャワーヘッドとして使用することができる、通常の壁取付レールとしての役目を果たすことができる。
【００２４】
本発明のさらなる発展形態において、内部が水運搬装置としての役目を果たすことができるように中空とされた壁取付レールを提供することができる。
【００２５】
本発明のさらなる発展形態において、壁取付レールとして形成されたシャワー装置および／または前記壁取付レールに付随する結合装置の一部分の流入口接続部を提供することができ、それは前記壁取付レールの下端部領域に配置される。
【００２６】
本発明によれば、少なくともオーバーヘッドシャワーを特徴として備える他のシャワー装置を提供することができる。手持ちシャワーヘッドを結合装置に差し込むことにより、前記シャワーヘッドに水を供給することができる。
【００２７】
壁取付レールはまた、少なくとも１つのサイドシャワーを特徴として備えることができる。
【００２８】
シャワー装置は、シャワーヘッドとサイドシャワーを切り替えるための独自の切替弁を特徴として備えることができる。
【００２９】
シャワーヘッドまたはサイドシャワーから出る水の質およびその温度は、さらに給排水器具の内部の給排水弁によって調節または決定される。
【００３０】
本発明によれば、壁取付レールの下端部領域に配置される制御装置を提供することができ、接続の部分および／または結合装置を特徴とする。前記制御装置は、追加の機能要素、例えば、シャワーを浴びる際に必要または所望とされる物品のトレイ手段を形成し、特徴として備えることができる。
【００３１】
本発明は同様に、壁またはシャワーキャビネットの別の部分に固定するためのシャワー装置を提案し、噴射流出口要素と、手持ちシャワーヘッドの流出口接続部と接続する流入口接続部と、さらに前記流入口接続部から前記少なくとも１つの噴射流出口要素への水運搬装置とを少なくとも特徴として備える。
【００３２】
このシャワー装置は壁取付レールとして形成することができ、また、手持ちシャワーヘッドを機械的に結合するための機械的結合装置を特徴として備える。
【００３３】
本発明は同様に、シャワーホース用の接続部と、少なくとも１つの噴射流出口要素と、シャワー装置の流入口接続部と接続する選択的に開かれる流出口接続部とを備える手持ちシャワーヘッドを提案する。
【００３４】
本発明のさらなる特徴、詳細および利点は、その表現が本明細書および以下の最後の好適な実施形態の説明の内容を図面に基づいて参照する、特許請求の範囲および要約書から得られる。図面に示された実施例は以下のとおりである。
【実施例】
【００３５】
図１は、大きく単純化した概略図で部品を示しており、本発明を明確にする助けとなるものである。給排水弁が収容される給排水器具１は、浴室の任意の場所に取り付けられる。例えば、この器具は作動要素２を用いて操作される温度調整弁を含む。給排水器具１から外方に、シャワーホース４への接続部３が通じている。シャワーホース４の端部には、手持ちシャワーヘッド５が接続されており、グリップ６およびシャワーヘッド７を特徴として備える。シャワーヘッド７の正面には、図１で見られるように、噴射ディスク８の形態をとる噴射流出口要素が配置されており、さまざまな噴射流出口開口部を備える。
【００３６】
給排水器具１とは独立して、さらなるシャワー装置１０が浴室、例えば壁に取り付けられる。このさらなるシャワー装置１０は、屋内設備と水の接続を行っていないが、給排水器具１とは独立して固定される。
【００３７】
他のシャワー装置は、中空管として形成される壁取付レール１１を含む。断面は、好ましくは円形以外である。壁取付レール１１が、その下端部に配置された制御装置１２とその上端部に配置されたオーバーヘッドシャワー１３の間に伸びているため、図示の例では、水が薄い扇形の形態をとるスリット１４から出るスプラッシュシャワーも起こる。
【００３８】
壁取付レール１１の正面には、図１で見られるように、個別の噴射流出口開口部１５が形成されており、壁取付レール１１の内側と接続されている。ホルダー１６が壁取付レール１１上に設けられており、壁取付レール１１を部分的に取り囲み、前記壁取付レールの縦方向に摺動できるようになっている。前記ホルダーは、例えばホルダー１６が形成された内部材料応力によって、任意の場所に固定することができる。その側面には、一般的な円錐ホルダー１８が回転接続部１７によって取り付けられる。手持ちシャワーヘッド５のグリップ６は、この円錐ホルダー１８に差し込むことができる。壁取付レール１１は、このように一般的な壁取付レールと同様に使用することができる。
【００３９】
ホルダー１６は中央領域を開放させて残すように形成され、したがって壁取付レール１１の正面には、噴射流出口要素１５が配置される。
【００４０】
制御装置１２において、中央部１９に窪みが形成され、その中心点ではソケット２０が見られる。このソケット２０は水の流入口接続部を形成し、壁取付レール１１の空洞の内側と接続される。
【００４１】
本発明は次に、シャワーホース４を通って運ばれる水が壁取付レール１１の内部に到達することができるように、壁取付レール１１のソケット２０と接続することのできる流出口接続部を備えた手持ちシャワーヘッド５を提案する。このことはまず、図１で説明したものとは異なる形態の手持ちシャワーヘッドを用いて図２で説明することとする。図２において点線で表される手持ちシャワーヘッド５は、図１の壁取付レール１１用ではなく、別の壁取付レール用だと見なされる。手持ちシャワーヘッド５は、薄肉円筒形状を特徴とする。その下端部には、シャワーホース４の端部に示されるユニオンナットの接続用のねじ山２１がある。前記円筒のジャケット表面には、個別の噴射流出口要素２２を有する領域が形成される。これらの噴射流出口要素２２は、すべてが平行噴射を生成するのではなく、生成された扇形噴射がそれでも前記領域の外周よりも小さくなるように方向付けされる。
【００４２】
シャワーホース４用の接続部から離れる方向を向く手持ちシャワーヘッド５の端部には、回転リング要素２３が設けられており、手持ちシャワーヘッド５の内部に配置された切替弁用の作動要素を形成する。シャワーホース４を通って案内される水の流出口接続部は、正面２４に配置される。これは、壁取付レールのニップルと相互作用するソケットを含み得る。図２の例は、本発明が提案するように、手持ちシャワーヘッド上の流出口接続部の配置が前記手持ちシャワーヘッドの外観のデザインを損なわないことを示すために選択された。手持ちシャワーヘッドは、まさに前述どおりに使用かつ適用することができる。図２による手持ちシャワーヘッドを用いて使用することのできる壁取付レールにおいて、流入口接続部を適度に下側に置くことによって、前記手持ちシャワーヘッドが前記壁取付レールの延長線上に配置されるようになる。また、図１に示された形態の壁取付レールの場合、図２の手持ちシャワーヘッドをシャワーヘッド１３の下側に取り付けることは当然ながら考慮すべきことであり、前記手持ちシャワーヘッドが同時にサイドシャワーとしての役目を果たすという副次的な作用を有することになる。
【００４３】
次に図３および図４は、特に図１の壁取り付けレール用の手持ちシャワーヘッドを示し、したがって制御装置１２の切り欠き１９に結合している。既に述べたように、前記手持ちシャワーヘッドは噴射ディスク８を備えたシャワーヘッド７を含む。噴射流出口要素または噴射開口部は、ここでは示されていない。
【００４４】
シャワーヘッド７の背面には、ボタンの形状を特徴とする突起２６がある。この突起２６により、手持ちシャワーヘッドは対応するホルダーに掛けることができる。突起２６は、その背面を押すことによってシャワーヘッド７のハウジングに押し込むことができるように形成される（図４参照）。それによって、制御装置１２のソケット２０と係合するための、シャワーヘッド７の内部に水線を有するニップル２７は高さを維持する。
【００４５】
次は、図５および図６に示される別の実施形態に関する。図５および図６は、壁取付レール３０の下端部の上部を示しており、その内部にホースで形成された水線３１を特徴として備える。壁取付レール３０の下端部には、連続水路３３を特徴として備えるプラグ３２が挿入される。そして、プラグ３２はニップル３５がねじ込まれる下側領域にスリーブ３４を形成する。中空ニップル３５は、その自由端部の領域に個別のウェブ３６を特徴として備えており、それらの間には隙間が形成される。
【００４６】
プラグ３２は、壁ホルダー３７を用いて壁にしっかりとねじ込まれる。この壁ホルダーは、プラグ３２を用いて壁取付レール３０を保持する役目も果たす。
【００４７】
外側摺動スリーブ３８は、スリーブ３４全体に取り付けられており、接触ばね３９によってスリーブ３４の肩部の上方へ、すなわちプラグ３２に向かう方向へ押される。スリーブ３４と摺動スリーブ３８との間にスイベルフック４０が挿入されており、図示の位置では、スリーブ３４の内部空間に突出する。スリーブ３８が図５のばね３９の効力に逆らって下方に動くと、スイベルフック４０の円形外装４１が溝４２に入り、摺動スリーブ３８の内部は大径を特徴とする。これによって、スイベルフック４０が外方に回転可能になるため、その内端４３はスリーブ３４の内側から外方へ押されるようになる。
【００４８】
手持ちシャワーヘッド４５の端部はスリーブ３４の内側と一緒に作用し、その端部領域が図５の断面図に示されている。これは、図２の手持ちシャワーヘッド５と同様のデザインの手持ちシャワーヘッドである。手持ちシャワーヘッド４５の端部は、正面端部から一定の距離を有することを特徴とする円周溝４６を含む。前記手持ちシャワーヘッドがスリーブ３４内に押し込まれると、図５に示された１つだけではなく複数のスイベルフック４０がこの溝４６に入り、したがってスリーブ３４内に前記手持ちシャワーヘッドを係止する。弁４７は前記手持ちシャワーヘッドの端部領域に収容されており、標準状態ではばね４８の効力によって閉じられている。
【００４９】
前記手持ちシャワーヘッドを押し込んだ後は、図６に示す位置のようになる。弁閉鎖板４９の端部は、ウェブ３６の外側端部に位置する。これらのウェブは、弁が開くように前記手持ちシャワーヘッドの内部まで弁閉鎖板４９を押す。前記手持ちシャワーヘッドを通る水とその水線５０は、弁閉鎖板４９を超えてウェブ３６間の隙間を通り、プラグ３２の内部まで流れる。
【００５０】
そこから、水は壁取付レール３０の水線３１に達する。
【００５１】
接続を開放するためには、図６の摺動スリーブ３８が下方に押されることによって、スイベルフック４０が溝４６との係合から外れるようになる。その後、前記手持ちシャワーヘッドも壁取付レール３０の流入口接続部から引き抜くことが可能になる。
【００５２】
図７は図１に対応する図を示しており、手持ちシャワーヘッド５は図２の手持ちシャワーヘッドの形態を特徴とする。その正面端部には、壁取付レール１１の軸方向の流入口接続部がはめ込まれており、手持ちシャワーヘッド５の形状に沿って存在する丸管として形成されている。その上端部の周囲の領域では、管がヘッドシャワー１３のひじ管５１に形を変えており、この場合、大きな噴射流出口表面を有する平たいディスク形状を特徴とする。
【００５３】
図８は上述の手段を示しており、他のシャワー装置が手持ちシャワーヘッド用の付属品５２、例えば、この場合は手持ちシャワーヘッド５とは異なる噴射方向をもつ追加のシャワーヘッドを含むものである。手持ちシャワーヘッド５用の付属品５２の場合、壁取付レール１１と同様の方法で手持ちシャワーヘッド５に接続されており、図７による実施形態は、例えばブラシを備えたシャワーヘッドも含むことができる。
【図面の簡単な説明】
【００５４】
【図１】本発明の全体の概略的な概観図である。
【図２】図１のシャワー装置に使用することができる、手持ちシャワーヘッドの側面図である。
【図３】さらなる手持ちシャワーヘッドの側面図である。
【図４】壁取付レールへの接続準備が完了した状態の、図３の手持ちシャワーヘッドである。
【図５】壁取付レールと図２の手持ちシャワーヘッドとの間の結合装置の縦断面図である。
【図６】接続状態にある２つの部品の図５に対応する断面図である。
【図７】図２の手持ちシャワーヘッドに特に適した、図１に対応するシャワー装置の図である。
【図８】追加のシャワーヘッドの形態をとる別のシャワー装置を備えた手持ちシャワーヘッドの側面図である。
【図１】
2008531147.tif 000003
【図２】
2008531147.tif 000004
【図３】
2008531147.tif 000005
【図４】
2008531147.tif 000006
【図５】
2008531147.tif 000007
【図６】
2008531147.tif 000008
【図７】
2008531147.tif 000009
【図８】
2008531147.tif 000010
【国際調査報告】
2008531147.tif 000011
2008531147.tif 000012
2008531147.tif 000013
2008531147.tif 000014
2008531147.tif 000015
2008531147.tif 000016